Podtech/llm-jp-corpus-v4-ja_patent huggingface dataset:
(57)【要約】【課題】  本発明は、たとえば、タバコの商品陳列棚等に用いるトレーを一列ずつのトレーにすることにより、商品を一種類ごとに取り出せることを特徴とした、商品陳列トレーに関するものである。【解決手段】  商品陳列トレー（１）の前面部（２）の内側に傾斜部（３）を設け、商品陳列トレー（１）の底部にスライド用溝（４）を設け、スライド用溝（４）に商品プッシャー（５）を設け、商品陳列トレー（１）の底部に、巻きバネ（８）を取り付け、巻きバネ（８）の一端を巻きバネとめネジ（７）で固定し、もう一端に巻きバネ心棒（６）を取り付け、巻きバネ（８）を固定したことを特徴とした商品陳列トレー。【選択図】図１
2008188387.tif 000002
【特許請求の範囲】
【請求項１】
商品陳列トレー（１）の前面部（２）の内側に傾斜部（３）を設け、商品陳列トレー（１）の底部にスライド用溝（４）を設け、スライド用溝（４）に商品プッシャー（５）を設け、商品陳列トレー（１）の底部に、巻きバネ（８）を取り付け、巻きバネ（８）の一端を巻きバネとめネジ（７）で固定し、もう一端に巻きバネ心棒（６）を取り付け、巻きバネ（８）を固定したことを特徴とした商品陳列トレー。
【発明の詳細な説明】
【技術分野】
【０００１】  本発明は、たとえば、タバコの商品陳列棚等に用いるトレーを一列ずつのトレーにすることにより、商品を一種類ごとに取り出せることを特徴とした、商品陳列トレーに関するものである。
【技術背景】
【０００２】  従来、商品陳列棚に用いるトレーは４列が一つになっていた。
【発明の開示】
【発明が解決しようとする課題】
【０００３】  そのために、次のような問題点があった。
（イ）商品陳列棚から商品を取り出すときに必ず４列のトレーを引き出すために、４列分のスペースを必要とし邪魔となり作業性を低下させていた。
（ロ）商品陳列棚の商品を並び替える場合、その都度トレーの商品を取り出し、陳列しなおさなければならなかった。
（ハ）商品を引き抜く際、上方向に抜いていたが、そうすると上下のトレー間が広くなり空間が多く必要になる。
本発明は、これらの問題点を解決するためになされたものである。
【課題を解決するための手段】
【０００４】  商品陳列トレー（１）の前面部（２）の内側に傾斜部（３）を設ける。
商品陳列トレー（１）の底部にスライド用溝（４）を設ける。
スライド用溝（４）に商品プッシャー（５）を設ける。
商品陳列トレー（１）の底部に、巻きバネ（８）を取り付ける。
巻きバネ（８）の一端を巻きバネとめネジ（７）で固定する。
巻きバネ（８）のもう一端に巻きバネ心棒（６）を取り付ける。
巻きバネとめネジ（７）と巻きバネ心棒（６）巻きバネ（８）を固定する。
以上のように構成されたことを特徴とした商品陳列トレーである。
【発明の効果】
【０００５】  狭いスペースでもトレーを引き出すことが簡単にできる。
商品の並び替えが簡単にできる。
新商品を陳列することが簡単にできる。
商品の補充時に商品の種類を間違うことがない。
商品の取出しが簡単である。
【発明を実施するための最良の形態】
【０００６】  以下、本発明を実施するための実施の形態について説明する。
商品陳列トレー（１）の前面部（２）の内側に傾斜部（３）を設ける。
商品陳列トレー（１）の底部にスライド用溝（４）を設ける。
スライド用溝（４）に商品プッシャー（５）を設ける。
商品陳列トレー（１）の底部に、巻きバネ（８）を取り付ける。
巻きバネ（８）の一端を巻きバネとめネジ（７）で固定する。
巻きバネ（８）のもう一端に巻きバネ心棒（６）を取り付ける。
巻きバネとめネジ（７）と巻きバネ心棒（６）巻きバネ（８）を固定する。
本発明は以上のような構成である。
本発明を使用する時は、商品陳列トレー（１）にタバコ（９）を入れ、商品陳列トレーに販売品であるタバコを陳列する。
巻きバネの力で、スライド機構付きの商品プッシャー（５）でタバコを前面に押して整列する。
商品の取り出しの際に斜めに取り出す。
【図面の簡単な説明】
【０００７】
【図１】  本発明の断面図である。
【図２】  本発明のスライド機構部を説明した斜視図である。
【図３】  本発明の使用状態を説明した斜視図である。
【図４】  本発明の斜視図である。
【図５】  本発明の使用状態を説明した斜視図である。
【図６】  本発明の使用状態を説明した斜視図である。
【図７】  本発明の使用状態を説明した斜視図である。
【符号の説明】
【０００８】    １  商品陳列トレー
２  前面部
３  傾斜部
４  スライド用溝
５  商品プッシャー
６  巻きバネ心棒
７  巻きバネとめネジ
８  巻きバネ
９  タバコ
【図１】
2008188387.tif 000003
【図２】
2008188387.tif 000004
【図３】
2008188387.tif 000005
【図４】
2008188387.tif 000006
【図５】
2008188387.tif 000007
【図６】
2008188387.tif 000008
【図７】
2008188387.tif 000009
(57)【要約】      （修正有）【課題】耳捶に穴を空けなくともフェイス・アンド・イヤーネイルアートを楽しむ事が出来る。【解決手段】台紙（プラスティック）ビニールの上に宝飾品（ストーン）を張り付けた耳捶型の台紙と、自分で自由に切って自分に合ったフェイス・アンド・イヤーネイルを作る事が出来る。また元来すでにピンホールを空けた人でも、穴の周りに切って張り付け楽しむ事が出来る。また耳捶の穴を空ける資格も医師が行うものだが、お金がかかるために自分で穴を空けたり友達同志で空け、大変危険である。また金鍍金が穴の中で炎症を起こしたり、消毒をしないと臭かったり大変面倒である。その点若い女の子、男の子が耳捶に穴を空ける事もなくフェイス・アンド・イヤーアートを楽しめる。また何回も脱着出来るよう工夫された画期的なイヤーネイルである。【選択図】図１
2008188383.tif 000002
【特許請求の範囲】
【請求項１】
耳捶に張り付ける耳飾りである。
【請求項２】
耳飾り台紙（プラスティック）ビニールの裏に接着剤が付けてあり、脱着が出来る物である。
【発明の詳細な説明】
【発明の詳細な説明】
【産業上利用分野】
【０００１】  宝飾、アクセサリーが広く使われる事で産業上の利用分野に貢献出来るのである。
【背景技術】
【０００２】  従来の宝飾品やアクセサリーを台紙（プラスティック）ビニールの上に並べていろいろな耳捶の型をした裏に接着剤が付けてあり、裏紙を剥がして耳捶に張り付けるイヤーネイルであり、従来の技術を持ってすれば簡単である。
【発明が解決しようとする課題】
【０００３】  耳捶に穴を空ける事がなく付け、オシャレを楽しむ事が出来る。また小さな子供達も耳に穴を空ける事もないので、老若男女オシャレを楽しむ事が出来るのである。
【課題を解決するための手段】
【０００４】  宝飾品を台紙（プラスティック）ビニールの上に張り、その台紙の裏に接着剤を塗って耳捶に張る事でイヤーネイルが出来るのである。
【発明実施の形態】
【０００５】  台紙（プラスティック）ビニールの上に宝飾品を張り付け、いろいろな耳捶の型をした形態の物、または自分で耳捶に張りやすいように切って使用するのである。
【実施例】
【０００６】耳捶は穴を空ける事がないので非常に喜ばれていて、いろいろな型があるので楽しんでいる。特に若い女の子には大人気である。
【発明の効果】
【０００７】  耳捶に穴を空ける事がないので、若い娘でも男性でも大変喜んでいる。耳捶には体のいろいろなツボがあり、穴を空ける事で危険を伴う事もある。よって穴を空ける事がないので、発明の効果は歴然としている。
【物件名】
【図面の簡単な説明】
【図１】  （ア）台紙ビニール（プラスティック）  （イ）宝飾品（ストーン）  （ウ）糊（接着剤）  （エ）耳捶  （オ）鼻  （カ）穴
【図１】
2008188383.tif 000003
(57)【要約】【課題】  靴を履いたとき足に汗をかき、蒸れたり、嫌な臭いを発して不快になることはよく経験するところである。そのために吸湿性を持たせた靴敷き、活性炭を繊維に内包した靴敷きなどが市場に出ている。これらは蒸れと悪臭防止には一定の効果があると思われる。しかし水虫の予防、治療はあまり期待できない。【解決手段】  本発明は生アロエ葉を破砕して、液状になっているところに吸湿性素材を浸漬させて、アロエの薬効成分を含浸させて乾燥し、この吸湿性素材を靴敷きとして用いるものである。これにより吸湿性を持たせ、足を快適に保ち、悪臭を防止し、さらには水虫を治療、防止するものである。靴敷きとしての機能を満足させるためには、表面、裏面または内部に不織布その他の補強材を付加することもある。表面補強材はまた肌触りを良くするためにも、凹凸を付したり、穴あきとして用いることもある。【特許請求の範囲】
【請求項１】
アロエ葉を破砕機で細かく破砕し、この液状物に既に靴敷き形状に加工しているか、加工前のシート状のままの吸湿性素材を浸漬させて、これを乾燥させて、靴敷きとして用いる。
液状物は逆に靴敷き素材に降りかけること、又は吹き付けることでも良い。
【請求項２】
靴敷きとしての機能を満足させるためには、請求項１の表面、裏面または内部に不織布その他の補強材を付加することもある。
【請求項３】
表面補強材はまた肌触りを良くするために、請求項１および請求項２のものに凹凸を付したり、穴あき加工して用いることもできる。
【請求項４】
目的をより効果的にするためには、請求項１、請求項２および請求項３のものに他の成分を付加することも考えられる。例えば、活性炭を混合したり、アロエの薬効を損なわず、さらに相乗効果を上げるような他の薬効成分を添加することも考えられる。
【請求項５】
請求項１、請求項２、請求項３および請求項４のものにカバーを付して、スリッパまたはサンダルとして用いることができる。
【発明の詳細な説明】
【技術分野】
【０００１】  本発明は生のアロエ葉を破砕して、液状をなしているところに吸湿性素材で作った靴敷き形状に加工したもの、又は加工前のシート状のものを浸漬させ、乾燥させて靴敷きとして用い、足の蒸れ、悪臭を防止し、足を快適に保ちあるいは水虫を治療、予防する分野に関するものである。
【背景技術】
【０００２】  この出願は先にした出願、特願００６−１８８６０５の追加又は類似的発明である。靴を履いたとき足に汗をかき、蒸れたり、嫌な臭いを発して不快になることはよく経験するところである。そのために吸湿性を持たせた靴敷き、活性炭を繊維に内包した靴敷きなどが市場に出ている。はては靴敷きの中に復元性を持たせた空間を形成して、歩くたびに空間を踏み潰すことと開放を繰り返して、エアポンプを構成して空気交換をさせる靴敷きまである。これらは蒸れ防止と悪臭防止には一定の効果があると思われる。
【発明の開示】
【発明が解決しようとする課題】
【０００３】  従来の吸湿性を持たせた靴敷きは、汗を吸湿した後は脱湿する必要があるし、雑菌の繁殖が考えられる。活性炭を繊維に内包した靴敷きは、速効的な薬効性には疑問がある。エアポンプ作用を利用して空気交換をさせる靴敷きについても、速効的な薬効性には疑問がある。
本発明はアロエ葉を破砕して、液状になっているところに吸湿性素材で作ったものを浸漬させ、乾燥させて靴敷きとして用いるのである。これによって吸湿性を持たせて足を快適に保ち、蒸れによる悪臭を防止し、さらにはアロエ葉の薬効成分により水虫を治療、予防するものである。
【課題を解決するための手段】
【０００４】  アロエ葉は破砕機で細かく破砕し内部の水分が十分利用できるようにする。
この場合濾布等を用いて水分を搾り出しても良い。こうしてできた液状物を容器に入れて、この中に吸湿性素材を投入して浸漬させるのである。このとき吸湿性素材は既に靴敷き形状に加工したものでも良いし、加工前のシート状でも良い。商品品質を向上させる為には、あえて粒状固形物を付着させることも考えられる。アロエ液を含浸させた素材は天日乾燥又は加熱乾燥する。
靴敷きとしての機能を満足させるためには、表面、裏面または内部に不織布その他の補強材を貼り付けたりして付加することもある。表面補強材はまた肌触りを良くするためにも、凹凸を付すこと、穴あきとして用いることもできる。
この目的をより効果的にするために、他の成分を付加することも考えられる。例えば、活性炭を混合すること、アロエの薬効を損なわず、さらに相乗効果を上げるような他の薬効成分を添加することも考えられる。
また靴敷き素材にアロエを吸収させるには、粉砕アロエ液状物を降りかけること、吹き付けることも考えられる。
【発明の効果】
【０００５】  用途は、靴敷きとして用いて、足が蒸れて不快になることを防ぐこと、汗による悪臭を解消すること、水虫の発症を抑え、治療することである。
本発明は自然界に存するものの有効利用であり、高価なものでもなく、使い捨てが可能である。またアロエ自体、生食もできるものであり、廃棄しても環境汚染とは無縁である。
【実施例】
【０００７】  靴敷きの製造工程は次の通りである。
１．アロエ洗浄工程−２．アロエ破砕工程−３．靴敷き素材浸漬（又は振りかけ）工程−４．乾燥工程。工程説明は次のようなものである。
１．洗浄工程・・・水洗等で土、異物を落とす。
２．破砕工程・・・アロエ液を十分利用できる程度に破砕する。
３．靴敷き素材浸漬（又は振りかけ）工程・・・靴敷き素材は靴敷き形状に加工したものでも、加工前のシート状でも良い。
４．乾燥工程・・・アロエの薬効成分がなるべく残る温度以下で乾燥する。
【産業上の利用可能性】
【０００８】  本発明の用途は、靴敷きとして用いて、足が蒸れて不快になることを防ぐこと、汗による悪臭を解消すること、水虫の発症を抑え、治療することである。
本発明はまたカバーを付して、スリッパまたはサンダルとして用いて、同様の目的に用いることができる。
本発明は日常のあらゆるところで使用できるのはもちろんであるが、特に不特定多数が利用する施設において、他人の使用したスリッパを使用することに対して抵抗感のある人には、安価に製造して使い捨てにできる。
その施設は例えば病院、温泉施設、旅館、お座敷飲食施設などである。
また長時間過ごすこととなる列車、機内で靴を履いていて足が蒸れて不快を感じた人は多いのではないだろうか。そのようなときの利用も考えられる。
(57)【要約】【課題】棚、机、諸種の物掛けなどを形成する場合、共通して使用できるとともに、労力を費やすことなく係止位置を調整できる係止具を提供することにある。【解決手段】金属製縦長の平板２の上部及び下部を前方向に屈曲し、上部屈曲部３及び下部屈曲部６を設けるが、上部屈曲部３の屈曲による内角は９０度より小とし、下部屈曲部６の屈曲による内角は９０度より大に形成し、前記上部屈曲部３はその前部を更に斜め上方に屈曲して屈曲部４を設け、また該屈曲部４の端部には係着部５を、前記下部屈曲部６の端部には支持部５をそれぞれ削成し、レール材に係着部５及び支持部５を嵌着するようにした。【選択図】図１
2008188374.tif 000002
【特許請求の範囲】
【請求項１】
金属製縦長の平板２の上部及び下部をそれぞれ前方向に屈曲し、上部屈曲部３及び下部屈曲部６を設けるが、上部屈曲部３の屈曲により形成される内角は９０度より小とし、下部屈曲部６の屈曲により形成される内角は９０度より大とするものとし、前記上部屈曲部３はその前部を更に斜め上方向へ屈曲して屈曲部４を設けるとともに、該屈曲部４の端部で前記平板２の最上端部に係着部５を削成し、並びに前記下部屈曲部６の端部で前記平板２最下端部に支持部７を削成してなることを特徴とする係止具
【発明の詳細な説明】
【技術分野】
【０００１】
本発明は、棚又は机などの形成、洋服或いはカバン掛け、額等の掲示などに用いる係止具の改良に関するものである。
【背景技術】
【０００２】
簡易な係止具を用い、労力を費やすことなく臨機に棚、机等を形成し又はこれを撤去できれば、一般家庭においてだけでなく、多数の人が来集する商店や事務所等においても極めて便利である。この外、多種の物掛けや額等の掲示などにも共通して用いることができる係止具は、一定の空間を有効に活用できる。この場合、係止位置を容易に変更できるとともに、係止位置を微妙に調整することができれば、より空間の活用を促進する。しかし、従来このように簡易かつ多用途に利用できる係止具は提案されていない。
【特許文献１】特開２００５−１５５００８号公報
【発明の開示】
【発明が解決しようとする課題】
【０００３】
解決しようとする問題点は、臨機に利用できるばかりでなく、長期にわたっても活用できるところにあり、更に、部材の複数回利用を妨げないため、物資の節減を可能にする点である。
【課題を解決するための手段】
【０００４】
本発明は、前記課題を解決するため、係止具の取着はレールへの嵌挿による係止具とレールとの接着面に生ずる摩擦力のみによることを最も主要な特徴とする。
【発明の効果】
【０００５】
本発明は、係止具の取着にあたり釘打ち、ハンダ付等の手段を用いないので容易であり、労力を費やす必要がなく、部材を全く損傷することもないので、複数回活用できるだけでなく、係止位置を微妙に調整することにより、空間を無駄なく活用できるという利点がある。
【発明を実施するための最良の形態】
【０００６】
係止具の形状は、その取着がレールへの嵌挿による係止具とレールとの接着面に生ずる摩擦力によって維持されるので、負荷する重力の大きさにより、上記接着面を加減する必要がある。。
【実施例１】
【０００７】
図１は、本発明に係る係止具１の概要を示す斜視図、図２（ａ）は係止具の正面図、同図（ｂ）は同側面図、図３（ａ）はレール８に係止具１を取着した状態を示す説明図、同図（ｂ）はレール８の形状の一例を示す横断面図である。
【０００８】
係止具１は、金属製縦長の平板２を用いて形成するが、図２に示すように、該平板２の上部及び下部を前方向にそれぞれ屈曲し、上部屈曲部３及び下部屈曲部６を設ける。上部屈曲部３の屈曲による内角αは、９０度より小さいものとし、下部屈曲部６の屈曲による内角βは、９０度より大きいものとする。前記上部屈曲部３は、その前部を更に斜め上方向に屈曲して屈曲部４を設けるとともに、、該屈曲部４の端部で前記平板２の最端部に係着部５を削成する。また、前記下部屈曲部６の端部に支持部７を削成する。
【０００９】
前記上部屈曲部３の屈曲にあたり、内角αを９０度より小さく形成したのは、例えば、棚材や机の天板を該上部屈曲部３に載置したとき、これらの部材が平板２に擦れたりして安定を欠くことを回避するためである。次に、係着部５は、レール８に嵌挿入したとき、レール８との接着面を大きくして、摩擦により負荷する重力をより大きく支えることができる形状に形成する。従って、係着部５は、レール８に嵌挿入する際は、係止具１を横転して挿入し、挿入後戻せばよいので、前記のようにできるだけ接着面積を大にする。また、下部屈曲部６の屈曲にあたり、内角βを９０度より大きく形成したのは、支持部７をレール８に嵌着したとき、レール８との摩擦がより強度になるように配慮したものである。
【産業上の利用可能性】
【００１０】
本発明に係る係止具は、前記の構成によるものなので、載置物の種類に応じ位置を微妙に調整できるから、写真の撮影や音響調整その他使用状況に対応して広く活用できる。
【図面の簡単な説明】
【００１１】
【図１】本発明に係る係止具１の概要を示す斜視図である。
【図２】（ａ）は係止具の正面図、（ｂ）は同側面図である。
【図３】（ａ）はレール８に係止具を取着した状態を示す説明図、（ｂ）はレール８の形状の一            例を示す横断面図である。
【符号の説明】
【００１２】
１    係止具
２    平板
３    上部屈曲部
４    屈曲部
５    係着部
６    下部屈曲部
７    支持部
８    レール
【図１】
2008188374.tif 000003
【図２】
2008188374.tif 000004
【図３】
2008188374.tif 000005
(57)【要約】【課題】本発明は小さいゴミ入れ箱に入れる塵取り具を得るにある。【解決手段】掃き入れ部と対峙する後部に、該掃き入れ部より幅が狭い排出口を設け、該排出口にゴミ溜め部のゴミを誘導するための扇形状のガイド部を配置し排出するには、取っ手を傾けてゴミを排出口より捨てるものとした排出口付き塵取り具を構成している。【選択図】図４
2008188395.tif 000002
【特許請求の範囲】
【請求項１】
掃き入れ部とゴミ溜め部と取っ手から構成される塵取り具に排出口とガイド部を設けた排出口付き塵取り具で、前記掃き入れ部と対峙する後部に、該掃き入れ部より幅が狭い排出口を設け、該排出口にゴミ溜め部のゴミを誘導するための扇形状のガイド部を配置し排出するには、前記取っ手を傾けてゴミを排出口より捨てるものとしたものでゴミ箱の小さいものにも入れ易くした事を特徴とした排出口付き塵取り具。
【請求項２】
排出口に開閉プレートを付け取っ手を傾けてゴミを排出する時に開き、それ以外は閉じるものとした請求項１の排出口付き塵取り具。
【発明の詳細な説明】
【技術分野】
【０００１】本発明は、塵取り具に関する。
【背景技術】
【０００２】従来の塵取り具には、掃き入れ部とゴミ溜め部と取っ手から構成され掃き入れ部が排出口を兼ねたものが多く使用されている。。【０００３】
【参考文献】
【特許文献１】特許公開２００６−３４１０５８
【発明の開示】
【発明が解決しようとする課題】
【０００４】従来の塵取り具は掃き入れ部が排出口と兼用しているために、ゴミ箱の捨て口が掃き入れ部より小さい場合には捨てずらい欠点があった。【０００５】
【特許文献１】発明の名称：（掃除用具）は塵取り具の後部に排出口を設けたものだが掃き入れ部と排出口の幅が同一で、前部の掃き入れ部で捨てるには小さいゴミ箱に入れずらい欠点があった。
【０００６】本発明は以上のような従来の欠点に鑑み、小さいゴミ箱にも入れ易い塵取り具を提供することを目的としている。【０００７】本発明の前記ならびにその他の目的と新規な特徴は次の説明を添付図面と照らし合わせて読むと、より完全に明らかになるであろう。ただし、図面はもっぱら解説のためのものであって、本発明の記述的範囲を限定するものではない。
【課題を解決するための手段】
【０００８】上記目的を達成するために本発明は、掃き入れ部とゴミ溜め部と取っ手から構成される塵取り具に排出口とガイド部を設けた排出口付き塵取り具で、前記掃き入れ部と対峙する後部に、該掃き入れ部より幅が狭い排出口を設け、該排出口にゴミ溜め部のゴミを誘導するための扇形状のガイド部を配置し排出するには、前記取っ手を傾けてゴミを排出口より捨てるものとしたものでゴミ箱の小さいものにも入れ易くした事を特徴とした排出口付き塵取り具を構成している。【０００９】排出口に開閉プレートを付け取っ手を傾けてゴミを排出する時に開きそれ以外は閉じるものとした上記（０００８）記載の排出口付き塵取り具を構成している。
【発明の効果】
【００１０】  以上の説明から明らかなように、本発明にあっては次に列挙する効果が得られる。
（１）請求項１の構成により塵取り具の後部に幅の狭い排出口が付き傾けてゴミを排出するため小さいゴミ箱にもスムーズに入れる事が出来る。【００１１】（２）請求項２も前記（１）と同様な効果が得られる。
【発明を実施するための最良の形態】
【００１２】図１と図２の本発明を実施するための最良の第１の形態において、１は排出口付き塵取り具で材質として安価な合成樹脂が好ましい。２は排出口で幅は掃き入れ部より小さくし大体５ｃｍ程度。３はガイド部でその幅は排出口から離れる程大きくする。４は掃き入れ部で使用する箒幅より大きい方が使い易く大体２５ｃｍ程度。５はゴミ溜め部で底面は掃き入れ部より下げた方が良い。６は取っ手で付ける位置は自由だがゴミが握った手に付着しない場所としてゴミ溜め部上が好ましい。
｛発明を実施するための異なる形態｝【００１３】次に、図３と図４に示す本発明を実施するための異なる形態につき説明する。なお、これらの本発明を実施するための異なる形態の説明に当たって、前記本発明を実施するための最良の第１の形態と同一構成部分には同一符号を付して重複する説明を省略する。【００１４】図３と図４に示す本発明を実施するための第２の形態において、前記本発明を実施するための最良の第１の形態と主に異なる点は排出口に開閉プレートを付けた点で、このように形成した排出口付き塵取り具にしても、前記本発明を実施するための最良の第１の形態と同様な作用効果が得られる。【００１５】７は開閉プレートで排出口側に傾けると自動的に開くもので下部に重しを付けると開閉がスムーズになる。
【産業上の利用可能性】
【００１６】  本発明は塵取り具を製造する産業で利用される。
【図面の簡単な説明】
【００１７】
【図１】本発明を実施するための最良の第１の形態の排出口付き塵取り具の平面と背面図。
【図２】本発明を実施するための最良の第１の形態の排出口付き塵取り具の側面と断面図。
【図３】本発明を実施するための第２の形態の排出口付き塵取り具の平面と背面図。
【図４】本発明を実施するための第２の形態の排出口付き塵取り具の側面図。
【符号の説明】
【００１８】１：排出口付き塵取り具、  ２：排出口、  ３：ガイド部、  ４：掃き入れ部、  ５：ゴミ溜め部、  ６：取っ手、  ７：開閉プレート。
【図１】
2008188395.tif 000003
【図２】
2008188395.tif 000004
【図３】
2008188395.tif 000005
【図４】
2008188395.tif 000006
(57)【要約】      （修正有）【課題】軽くて装置の移動が容易であり、移動や仕事をしながらでも完全に按摩効果が発揮できる自動アンマ器を提供する。【解決手段】外枠１を設け、蝶版２を取り付け身体に密着するよう外枠１が容易に折れる構造とし、外枠１の中心部にモーター３を各々取り付け、カップリング７でシャフトと連結させ固定円盤５を設置し、その固定円盤５外周に固定円盤５よりはみ出している回転円盤６を設ける。固定円盤５と回転円盤６を組み合わせた駆動部をバンド帯に内蔵してモーター３を稼動させれば連動して回転円盤６は楕円を描いて凸凹に振動する。【選択図】図１
2008188393.tif 000002
【特許請求の範囲】
身体に捲き付ける構造のしたバンド帯内部にモーターと駆動部を設置できる外枠にモーターと円盤状の回転体を取り付けた駆動部を内蔵した、バンド帯を疾患部に捲き付けてモーターを稼動させれば円盤状の回転体が連動して、バンド帯内部で凸凹運動を繰り返して振動を与え按摩することを特徴とした「バンド型身体捲き付け自動アンマ器」
【発明の詳細な説明】
本出願人は平成９年１０月２１日ベルト型捲き付け自動アンマ器の名称でクランク式の（特願平９−３３９２８２）を出願し、この数年間この按摩器を回転させようと何度も試作を試みたのであるが、クランク方式ではモーターが過熱して回転しないことが判明した。
回転しないものでは話にならないし発明として出願する資格等はない。この経緯ついては特許庁に大変に迷惑をかけたことを反省している。しかし上記の試作に苦労をしたお陰で全く違う原理である円盤式で疾患部を按摩する新規の発明に漕ぎ付ける事が出来たのである。本出願人は、この新規なる円盤式の原理で試作品を完成させて何度も身体疾患部に捲き付けて振動をする按摩器の効果は実証済みであります。モーターと駆動部は１つの一体型でも良いが、疾患部の按摩効果を高める見地からモーターと駆動部を二つ用いた場合を、１例を上げて図面を参照しながら操作方法を説明する。図１の正面図で示すように（１）の外枠を設け（２）の蝶版を取り付け身体に密着するよう（１）の外枠が容易に折れる構造とし外枠の中心部に（３）のモーターを各々取り付け（７）のカップリングでシャフトと連結させ（５）の固定円盤を設置し、その固定円盤外周に固定円盤よりはみ出している（６）の回転円盤を設ける、このように固定円盤と回転円盤を組み合わせた駆動部をバンド帯に内蔵してモーターを稼動させれば連動して（６）の回転円盤は楕円を描いて凸凹に振動する。あるいは（６）の回転円盤を撤去し（５）の固定円盤の穴を中心部ではなく片方の位置に外してシャフト穴を貫通して（５）の固定円盤を（４）のシャフトに固定させれば固定円盤はシャフト中心より外れて設置されているので、（４）のシャフトを中心に（５）の固定円盤は楕円形に回転することになるから凸凹運動を繰り返す事となる（図示せず）。（９）はバンド帯をチョッキにした場合（１１）の按摩器本体をバンド帯に内蔵し、しっかりと身体に密着させて（３）のモーターを稼動させれば円盤状の駆動部は楕円を描いて連動回転し疾患部に凸凹運動を繰り返し按摩をすることとなる。電源部のモーターは電気式、充電式のどちらでも良いが回転数の増減並びに身体に捲き付けるバンド帯は長短調整の構造にするということは言うまでもない。
【図面の簡単な説明】
【図１】図１は本体正面図
【図２】図２は固定円盤と回転円盤を組み合わせた平面図
【図３】図３は袖なしのバンド帯に内蔵した場合の正面図
【図４】図４は主婦が本発明の按摩器を着用して鼻歌を歌っている斜視図
【符号の説明】
（１）外枠（２）蝶版（３）モーター（４）シャフト（５）固定円盤（６）回転円盤（７）カップリング（８）回転軸（９）袖なしのバンド帯（１０）バンド帯調整装置（１１）按摩器本体（１２）電源
【図１】
2008188393.tif 000003
【図２】
2008188393.tif 000004
【図３】
2008188393.tif 000005
【図４】
2008188393.tif 000006
(57)【要約】【課題】      従来のテーブルクロスは、防汚と装飾としての限られた機能しか無かった。【解決手段】  テーブルクロスの表面にプリントをする事により使用者が簡便にゲームや遊戯や学習をする事ができる。。【選択図】図１
2008188398.tif 000002
【特許請求の範囲】
【請求項１】
表面にゲームや遊びや学習が出来る様にプリントされたテーブルクロス。
【請求項２】
表面に囲碁盤、将棋盤、チェス、オセロ、ダイヤモンドゲーム、マージャン、ルーレット等の、テーブルゲームの盤がプリントされた請求項１記載のテーブルクロス。
【請求項３】
表面に野球、サッカー、ラグビー、相撲、ゲートボール、カーリング、バスケットゴール、テニス、バレーボール、バドミントン、陸上、水泳、アーチェリー、ダーツ、ゴルフ等スポーツゲームのフィールドやコートやグラウンドや土俵やフェアウェーがプリントされた請求項１記載のテーブルクロス。
【請求項４】
表面に双六や迷路、間違い探し、折り紙の折り方等がプリントされた請求項１記載のテーブルクロス。
【請求項５】
表面に日本地図や県名、世界地図や国名、国旗、漢字、九九、計算問題、宇宙、星座年表等の学習課題や問題等がプリントされた請求項１記載のテーブルクロス。
【請求項６】
表面に占いや阿弥陀クジ、風水、行事、ダンスのステップ、ビタミンの種類とその効能、干支、ビンゴの盤等、生活や趣味に役立つ情報がプリントされた請求項１記載のテーブルクロス。
【発明の詳細な説明】
【技術分野】
【０００１】  本発明は、ゲームや遊戯や学習の機能をもったテーブルクロスに関する。
【背景技術】
【０００２】  従来のテーブルクロスは、防汚や装飾としての機能をもったものがある。
【発明の開示】
【発明が解決しようとする課題】
【０００３】  従来のテーブルクロスでは、防汚や装飾品としての機能に限られていた為、それをゲームや遊戯や学習に使用する事は出来なかった。【０００４】  本発明はこの様な従来のテーブルクロスには無かった機能を付加する事により、使用者に簡便にゲームや遊戯や学習する機会を提供する事を目的とするものである。
【課題を解決するための手段】
【０００５】  そして本発明は上記目的を達成するために表面にゲームや遊戯や学習が出来る様にプリントしたものである。
【発明の効果】
【０００６】  上述したように本発明のテーブルクロスは、防汚や装飾としてだけでなく、表面のプリントを使用する事により使用者にゲームや遊戯や学習する機会を提供出来る。
【発明を実施するための最良の形態】
【０００７】  以下、本発明の実施の形態を図１〜図２に基づいて説明する。【０００８】  図においては、１はテーブルクロス本体で、表面に将棋盤２、囲碁盤３、野球盤４がプリントされている
【図面の簡単な説明】
【０００９】
【図１】  将棋盤、囲碁盤がプリントされたテーブルクロスの上面図。
【図２】  野球盤がプリントされたテーブルクロスの上面図。
【符号の説明】
【００１０】１      テーブルクロス
２      将棋盤のプリント
３      囲碁盤のプリント
４      野球盤のプリント
【図１】
2008188398.tif 000003
【図２】
2008188398.tif 000004
(57)【要約】【課題】    現在は、髪型は短髪の時代である。しかし、これがどうも潤いに欠ける。もう少し長くしてカールを付けた方が潤いが出る。しかし、一般の女性は、繁く美容院に通えない。家庭で自分でカール出来る用具があるとよい。【解決手段】    髪をカーラーに巻いてクリップした場合、温めた方が短時間で癖がつく。使い捨てカイロと同じような成分の物をヒーターとしてカールクリップの中に挿入すると宜しいことに気づいた。【選択図】なし。【特許請求の範囲】
【請求項１】
髪にカールを付ける円筒形のクリップであるカーラー（カールクリップ）において、巻いた髪を温めて早く癖を付ける為の熱源（ヒーター）として、使い捨てカイロの成分（鉄粉、水、活性炭、バーミキュライト、食塩）と同じような成分の物をカールクリップの中に使い捨て出来るように挿入して使用するようにした、ナガイカーラーと呼ぶことにする、ケミカルヒーターカーラー。
【発明の詳細な説明】
【発明の詳細な説明】
現代のサラリーウーマンの髪型は短髪が主流である。長めにしてカールさせた髪型が懐かしい。髪をカールさせるカーラーに適当な物があると宜しい。
カーラーはカールクリップとも呼ばれ、髪の毛を挟み、巻ぐせをつける円筒型の金属製やプラスチック製のクリップである。家庭用には、長く巻いておいて癖をつける物と電熱で温めておいて短時間で癖をつける物とがある。
電熱型も一旦温めた物を用いるので、早くしないと冷めてしまい余り便利な物とは言いがたいのであろう、殆ど流行っていない。
家庭用は、自分自身で巻きクリップする関係上巻き終わった後熱源を入れるようにしたものが宜しい。そこで、私は、熱源に使い捨てカイロと同じ成分の物を使用することを発想した。これを円筒形クリップの中に差し込んで用いるのである。
どの程度の時間熱を加えるべきか今知らないが、然るべき時間発熱するようにしたい。発熱温度も適当な物にしたい。
本発明によって、ホットカーラーは便利な物になった。大概の場合は朝カーラーするのであろうが、食事や顔の化粧の間にカールの癖が付くように巻いていることにするようにすると宜しいのであろう。
本発明によって、現在主流の短髪から、ミデアムカットの髪型が主流を占めて行くことになろう。髪型に革新が起きることを期待している。
それに合わせて、化粧法や洋服のファッションも変わってこよう。所謂ファッション産業に変革を呼ぶことになる。
世界の女性のおしゃれを期待している。
(57)【要約】【課題】  鉄棒で大車輪をするロボットの回転を継続させるため、慣性モーメントの強弱出来ることを可能にして、簡単な構造で、大車輪の継続が出来るようにする。【解決手段】  ロボットの動作の電源は、ロボットに電池を内蔵し、受信機とサーボモータもロボット内に内蔵して、制御信号には、外部の送信機からの無線を使います。大車輪で上昇時、回転半径を小さくする為、サーボモータで、ロボットの腕と脚を同時に屈曲させるて、慣性モーメントを小さくし、大車輪の継続を可能にする。【選択図】図２
2008188399.tif 000002
【特許請求の範囲】
【請求項１】
鉄棒ロボットが大車輪をする回転力を得る為に、回転中のロボットの重心迄の回転半径を、ロボットの回転上昇時にタイミングを合わせて、縮め、慣性モーメントを小さくし角速度を下げないようにして、回転を継続させる。
【請求項２】
演技する鉄棒ロボットをコントロールする制御信号には無線を使用して送る。
【発明の詳細な説明】
【技術分野】
【０００１】本発明は、鉄棒ロボットが大車輪を継続する回転原理として、慣性モーメントの強弱を利用する。【０００２】本発明は、鉄棒をするロボットの制御信号に、無線を使用する。
【背景技術】
【０００３】従来の、鉄棒をするロボットは、構造が複雑であり、構造が簡単なものは、動作がリアルでない。
【特許文献１】特開２０００−２６２７６７（Ｐ２０００−２６２７６７Ａ）
【発明の開示】
【発明が解決しようとする課題】
【０００４】鉄棒ロボットの回転原理を簡単な方法で行い、構造を簡単にする。【０００５】コントローラーから、鉄棒ロボット迄の制御信号を、無線化する。
【課題を解決するための手段】
【０００６】鉄棒ロボットを回転させる方法として、ロボットが大車輪上昇時に、送信機のスティックを操作することにより、ロボット内の受信機からの信号で、サーボモータが、送信機のスティックの操作角度に比例して右回転し、リンケージロッドを引きロボットの腕と脚を同時に屈曲させ、大車輪時の回転半径（ｒ）を小さくして（図３参照）、慣性モーメントを小さくすることにより、加速又は、減速が少なくなり（図２参照）、Ａ点に達した時、ロボットを伸直状態にすると大車輪を継続する。【０００７】コントローラーにラジコンの送信機を使用し、鉄棒ロボット内には受信機１台と、サーボモーター１台及び、電源用電池を１組を置き、その他、電源スイッチと若干のリンケージ用アームと、ロッドを取り付ける（図１参照）。【０００８】        慣性モーメント（Ｉ）≒ｒ２×ｍ
ｒ    重心までの回転半径
ｍ    ロボット本体の質量【０００９】（図２参照）点線８は、ロボットが大車輪上昇時、Ｃ点からＤ点を通りＡ点までを伸直状態のまま上昇した場合、空気抵抗や、鉄棒との摩擦でＡ点まで到達でき出来ずに回転が停止する。【００１０】（図２参照）実線７は、ロボットが大車輪上昇時、Ｃ点からＤ点を通りＡ点までを屈曲した状態で通過した時、慣性モーメントが小さくなり、あまり減速しないでＡ点まで到達するので、回転を継続する。
【発明の効果】
【００１１】この鉄棒ロボットを操作するには、ラジコン送信機のスティック操作にて可能であり、回転スピードや姿勢等も、コントロール出来る。【００１２】操作に熟練してくると、ロボットの動作原理が、実際の人の大車輪と似ているので、リアルな回転をする。
【発明を実施するための最良の形態】
【００１３】製作コストを少なくするには、既存のラジコン用送信機と受信機及びサーボを使用する。【００１４】ロボットの大きさがあまり小さいと、動きが速くなって操作が難しくなるので、大きさは、全長が約３０ｃｍから、５０ｃｍ位あれば良い。【００１５】ラジコンサーボモータは、あまり非力でなく、
トルクは、    約  ８Ｋｇ／ｃｍ  以上
スピードは、  約  ０．１５ｓｅｃ／６０°以上  が必要。
【産業上の利用可能性】
【００１６】構造が比較的にシンプルであるため、量産可能です。
【図面の簡単な説明】
【００１７】
【図１】Ａはロボットが伸直した状態を表し、Ｂはロボットが一番深く屈曲した状態である。Ｃはラジコン送信機である。
【図２】大車輪の状態と、各回転位置に於ける角速度の変化を表します。
【図３】ラジコンサーボで、ロボットの腕と脚を同時に屈曲させる為の、リンケージの状態を表示している。
【図４】前後振の状態を表示してあり、Ａ点で伸直状態で降下し、すぐに屈曲状態に入り、Ｃ点に達し、再び伸直状態で降下してＢ点を通りＡ点に戻る。以上を繰り返します。
【符号の説明】
【００１８】        １      鉄棒
２      電池ケース
３      受信機（ラジコン用）
４      サーボモータ（ラジコン用）
５      サーボ回転軸
６      重心位置
７      Ｃ点からＤ点を通りＡ点までを、ロボットが屈曲した状態時の角速度の                カーブ
８      Ｃ点からＤ点を通りＡ点までを、ロボットが伸直状態のままであった時                の角速度のカーブ。Ａ点まで到達しない。
９      腕の回転軸
１０      脚の回転軸
１１      サーボモータの回転を腕と脚に伝えるためのリンクロッド
１２      サーボモータの回転軸
１３      屈曲時に、重心移動を多くする為の重り（鉛）
１４      無線送信機
１５      操作用スティック
１６      アンテナ
１７      電源スイッチ
１８      此のスチィックを上下に操作してロボットをコントロールする。
【図１】
2008188399.tif 000003
【図２】
2008188399.tif 000004
【図３】
2008188399.tif 000005
【図４】
2008188399.tif 000006
(57)【要約】【課題】  バスマットの使用時に、吸水性に優れ、使用後は速乾性に優れた、古新聞を入れて使用するバスマットを提供する。【解決手段】バスマット本体の内部に古新聞が入る袋部を設け、袋部に入れた古新聞がバスマットの吸水性や速乾性を高めることを特徴とする古新聞を入れて使用するバスマット。【選択図】図１
2008188394.tif 000002
【特許請求の範囲】
【請求項１】
バスマット本体の内部に古新聞が入る袋部を設け、袋部に入れた古新聞がバスマットの吸水性や速乾性を高めることを特徴とする古新聞を入れて使用するバスマット。
【発明の詳細な説明】
【技術分野】
【０００１】  本発明は、バスマットの使用時に、吸水性に優れ、使用後は速乾性に優れた、古新聞を入れて使用するバスマットに関するものである。
【背景技術】
【０００２】  従来、バスマットは浴場の入り口等において、主に足ふき等に使用する為に、バスマットが濡れていることが多い。そこで吸水性や速乾性を高める為、材質や形状の違うものがあった。
【発明の開示】
【発明が解決しようとする課題】
【０００３】  そのために、次のような問題点があった。
（イ）バスマットの生地が厚くて水分が溜まりやすかった。
（ロ）バスマットの下の床が湿気て、板が傷んでいた。
（ハ）バスマットを洗濯すると乾かすのに時間がかかっていた。
本発明は、これらの問題点を解決するためになされたものである。
【課題を解決するための手段】
【０００４】  バスマット本体の内部に古新聞が入る袋部を設ける。袋部に入れた古新聞がバスマットの吸水性や速乾性を高める。以上を特徴とする古新聞を入れて使用するバスマットである。
【発明の効果】
【０００５】  バスマットに古新聞を入れて使用することによりバスマット本体の吸水性や速乾性を高めることが出来る。さらに製作経費を安くして、古新聞の有効利用に役立つ。
【発明を実施するための最良の形態】
【０００６】  以下、本発明の実施の形態について説明する。
（イ）バスマット本体（１）の内部に古新聞（５）が入る袋部（３）を設ける。
（ロ）袋部（３）にＬ形の開口部（２）を設ける。
（ハ）Ｌ形の開口部（２）に面ファスナー（４）を取り付ける。
本発明は以上のような構成で本発明を使用するときは、バスマット本体
（１）の袋部（３）に古新聞（５）を２〜３部入れて使用する。
バスマット本体（１）に溜まった水分は古新聞（５）に吸収されてバスマット本体（１）は、びしょ濡れにならない。又、古新聞（５）を入れることにより水分がバスマット本体（１）を通り抜けて床を濡らして床を傷める事が無くなった。
バスマット本体（１）の袋部（３）はＬ形に開口部（２）が設けられていて洗濯時、開いて干せるので従来のバスマットより早く乾かせることが出来る。
【図面の簡単な説明】
【０００７】
【図１】本発明の斜視図
【図２】本発明のＡ−Ａ断面図
【符号の説明】
【０００８】１  バスマット本体
２  開口部
３  袋部
４  面ファスナー
５  古新聞
【図１】
2008188394.tif 000003
【図２】
2008188394.tif 000004
(57)【要約】【課題】  調理作業途中おける、マナ板の仮置場所を確保するための装置を提供する。【解決手段】  前後にずらした２本の棒の間にマナ板の一端を挟んで持ち上げるような形で、宙に浮かせる構造の装置。【選択図】図１
2008188444.tif 000002
【特許請求の範囲】
【請求項１】
流シ調理台に付加してマナ板を平面状態で支持する装置であって、マナ板の一端の上面後方と下面手前を支持点とし、反対の端を含むマナ板の相当部分は宙に浮いた状態を保たせる装置。
【請求項２】
既存の流シ調理台に置くだけで使える請求項１の装置。
【請求項３】
組立式で、幅の調節ができる請求項２の装置
【発明の詳細な説明】
【技術分野】
【０００１】  本発明は、マナ板を支持する装置に関するものである。
【背景技術】
【０００２】  マナ板の保管に係る道具はあるが、それは、調理作業終了後に供するものである。
【発明の開示】
【発明が解決しようとする課題】
【０００３】  マナ板は、調理作業に最も重要なものの一つであるが、しばしば洗う必要のある、重く大きなやっかい者である。
【課題を解決するための手段】
【０００４】流シ調理台の天板の立上がり付近に、前後する２本の横棒を取り付け、マナ板の一端を挟むような形で支え、支えられていない部分は宙に浮かせる。【０００５】既存の流シ調理台の場合には、装置を置くだけで使用できるのが便利であるが、姿勢の安定を図るためアームを付けたり、強力磁石で補強する。【０００６】  置くだけでよいタイプで組立式のものは、幅を流シ調理台に合わせて調節するため、棒を取り付ける穴は盲管でなく、貫通させておく。
【発明の効果】
【０００７】  調理中、食材を乗せたままで、マナ板を臨時に置く場所が確保され、別のマナ板でさらに調理を続行できたり、蛇口の下で宙に浮かせる形でセットして洗うことができ、狭い台所でも能率がよくなる。
【発明を実施するための最良の形態】
【０００８】  支持棒１と支持棒２の高さの差をマナ板の厚さと同じにし、マナ板を１に乗せたときの上向きのモーメントを支持棒２で止めれば、マナ板は水平に固定される。【０００９】  １と２の水平距離が大きければ、テコの原理で棒の強度は小さくて済むが、一方、１が調理作業のじゃまになりがちである。そこで、適当な距離を選択しなければならないが、１と２の間にはコップや茶わんを置いて、水切りに利用したりできるので、それらがずり落ちない最大限の距離が良いかと思う。【００１０】  図２のように支持棒を直角方向へ延長することは、必須のものではないが、利用形態に広がりが出てくる。棒の強度と延長の長さが十分であれば、この部分にマナ板をセットしたままでの調理も可能である。【００１１】  既存の流シ調理台に置いて使用するタイプでは、装置を安定させるためアームが必要である。図３は左アームと支持棒が一体になっている例を示しているが、アームの長さが十分にとれないケースでは、強力磁石で補強することが考えられる。【００１２】  図４は組立タイプで最もシンプルなものの部品の展開図である。穴は貫通させておき、装置の幅の調節できるものとする。
【産業上の利用可能性】
【００１３】  本発明は、台所用品として有用である。
【図面の簡単な説明】
【図１】  本発明の基礎原理を示す図面である。
【図２】  装置の取付平面図と利用形態図である。
【図３】  置くだけでよいタイプの装置の立体図である。
【図４】  置くだけでよいタイプでシンプルな一例の組立部品図である。
【符号の説明】
１  支持棒下
２  支持棒上
３  マナ板
４  流シ調理台
５  支持棒取付け土台およびアーム
【図１】
2008188444.tif 000003
【図２】
2008188444.tif 000004
【図３】
2008188444.tif 000005
【図４】
2008188444.tif 000006
(57)【要約】【課題】    電気毛布は、寒い冬の夜を暖かく過ごさせる安価で手頃な防寒寝具である。ところが、夜中に寒さを感じて目を醒まして見ると、掛蒲団の下で捲れて団子になっている。捲れて乱れない工夫をしたい。【解決手段】    蒲団は厚いので、捲れて団子にならない。蒲団の助けを借りることにした。掛蒲団の裏側の布の全部か大部分かを電気毛布にした、または掛蒲団の裏側に電気毛布をファスナーや紐などで着脱可能に設けた、掛蒲団であり、電気掛蒲団と呼ぶことにする。【選択図】なし。【特許請求の範囲】
【請求項１】
掛蒲団の裏側の布の全部か大部分かを電気毛布にした掛蒲団であり、電気掛蒲団と呼ぶことにする。
【請求項２】
掛蒲団の裏側に電気毛布をファスナーや紐などで着脱可能に設けた掛蒲団であり、これも電気掛蒲団と呼ぶことにする。
【発明の詳細な説明】
【発明の詳細な説明】
また、冬がやって来ている。寒い夜を暖かく休む手頃な方法は電気毛布が一番である。ところが、この電気毛布は、睡眠中に寝返りを打ったりなどするからであろう、寒さを感じて目が醒めて見ると、掛蒲団の下で皺くちゃ団子になっていたり、首のところにせり上がって皺くちゃになっていたりしていることが多い。従って、また休む場合には掛蒲団を剥ぐって電気毛布の乱れを直さなくてはならない。夜中に蒲団の乱れを直してくれた幼少時代の母がその度に恋しくなる。
この問題を解決したいとテーマにしてから二十年も二十五年も経つ。掛蒲団は厚いから毛布のように捲れて団子にならない。掛蒲団と包布の間に挟めて捲れ防止を策して見たが、相当効き目はあるが、一夜でも包布の中で相当乱れる。
到頭、掛蒲団の裏側の布の全部か大部分かを電気毛布を以てすれば宜しいことに気付いた。これだと、掛布団ごと剥がれることはあっても、掛蒲団ごと皺くちゃ団子になることはない。
しかし、電気毛布を手軽に洗濯をと言う訳には行かない。どうしても、洗濯を問題とする人には、掛蒲団の裏側に電気毛布をファスナーや紐などで着脱可能に取り付け得るようにしたいと考えている。
これで、冬の寒い夜に電気毛布の乱れを直しに起きなくて済み、暖かく熟睡できる。老人を中心に徐々に広まって行こう。６５歳以上の老人は２８００万人もある。夢は決して小さくない。